(57)【要約】【課題】抽斗の内部にデッドスペースが生じることを抑制することができ、可動収納箱が円滑に進退することができ、可動収納箱の設計の自由度が高く、構造が簡単な収納家具を提供する。【解決手段】収納家具の抽斗３は、瓶が縦置きで収納される瓶収納空間ＢＳを内部に有する。可動収納箱４は、少なくとも抽斗３がキャビネット２に収容されている場合に、瓶収納空間ＢＳの上方に配される。即ち、抽斗３に収納されている瓶の上方の空間が有効利用される。可動収納箱４を円滑に進退させるべく、可動収納箱４の左側部は、案内レール６１に案内される移動支持部５によって支持される。可動収納箱４の右側部は、構造が簡単な載置台６２に摺動可能に載置される。可動収納箱４は左右対称構造である必要がないため、設計の自由度が高い。【選択図】図２
2014150841.tif 000002
【特許請求の範囲】
【請求項１】
キャビネットと、
該キャビネットに進出／退入可能に収容され、瓶を縦置きで収納可能な瓶収納空間を内部に有する抽斗と、
内部に物品が収納され、前記抽斗の進退方向に移動可能であり、少なくとも前記抽斗が前記キャビネットに収容されている場合に、前記抽斗の内部における前記瓶収納空間の上方に配される可動収納箱と
を備える収納家具であって、
前記可動収納箱の前記進退方向に交差する横方向の一側部を支持し、前記可動収納箱と共に移動する移動支持部と、
該移動支持部の移動を案内し、前記進退方向に配されている案内レールと、
該案内レールを支持するレール支持部と、
前記可動収納箱の前記横方向の他側部が摺動可能に載置され、前記進退方向の長さが前記案内レールよりも短い載置台と、
該載置台を支持する載置台支持部と
を備えることを特徴とする収納家具。
【請求項２】
前記抽斗の内部を、物品を収納する物品収納空間と前記瓶収納空間とに仕切るべく、前記進退方向に沿って縦姿勢で前記抽斗の内部に配される仕切り板を更に備え、
前記キャビネットの縦姿勢に配された前記進退方向に沿う壁部が、前記レール支持部及び載置台支持部の一方として機能するようにしてあり、
前記仕切り板が、前記レール支持部及び載置台支持部の他方として機能するようにしてあることを特徴とする請求項１に記載の収納家具。
【請求項３】
前記壁部が、前記載置台支持部として機能するようにしてあり、
前記仕切り板が、前記レール支持部として機能するようにしてあり、
前記レール支持部における前記抽斗の進出側には、縦姿勢の円柱状又は円筒状のレール側係合部が設けられており、
前記移動支持部には、
前記抽斗が前記移動支持部に対して相対的に退入した場合に、前記レール側係合部の周面に当接して前記レール側係合部に係脱可能に係合する収納箱側係合部と、
該収納箱側係合部の前記レール側係合部に対する係合を解除すべく操作される解除操作部と
が設けられており、
前記載置台支持部における前記抽斗の退入側には、前記可動収納箱の前記退入側の端部が接離可能に当接する当接部が配されており、
前記抽斗が前記キャビネットへ退入した場合、前記可動収納箱が前記当接部に当接した状態で、前記収納箱側係合部と前記レール側係合部とが係合するようにしてあることを特徴とする請求項２に記載の収納家具。
【請求項４】
前記可動収納箱は、
着脱可能に前記移動支持部に支持され、且つ着脱可能に前記載置台に載置され、
トレイを用いてなり、
他のトレイの第１係合部と係合する第２係合部が、前記一側部及び他側部の一方に設けられており、
他のトレイの第２係合部と係合する第１係合部が、前記一側部及び他側部の他方に設けられていることを特徴とする請求項１乃至３の何れか一項に記載の収納家具。
【発明の詳細な説明】
【技術分野】
【０００１】
本発明は、キャビネットに進出／退入可能に収容される抽斗を備える収納家具に関する。
【背景技術】
【０００２】
キッチンには、キッチン又はダイニング等で使用される物品を収納する収納家具が配置される。収納家具に収納される物品としては、例えば、調味料のガラス瓶又は食用油のプラスチックボトル等の瓶、ナイフ又はフォーク等のカトラリー、及び、レードル又は菜箸等のキッチンツールが挙げられる。
収納家具は、外抽斗及び内抽斗を備えていることがある（特許文献１，２参照）。内抽斗は、外抽斗の内部に配される。キャビネットに対する外抽斗の進退方向と内抽斗の進退方向とは平行である。以下では、各抽斗の進退方向を前後方向といい、各抽斗の進出側（及び退入側）を前側（及び後ろ側）という。
【０００３】
特許文献１に記載の収納家具（文中「キッチンキャビネット」）の場合、外抽斗の内部であって内抽斗の前方に、瓶又はキッチンツール等を縦置きで収納可能な縦長収納部が設けられている。内抽斗の左右両側部にはインナーレールが取り付けられている。インナーレールは、キッチンキャビネットの左右両側壁部（文中「側板」及び「縦仕切板」）に取り付けられている受けレールに、摺動可能に装着されている。
【０００４】
特許文献２に記載の収納家具（文中「キッチン収納庫」）の場合、外抽斗の前板の内面に、縦姿勢のキッチンツール（文中「杓子類」）を固定する杓子類固定具が配されている。内抽斗（文中「スライドボックス」）の前部は、杓子類固定具に固定されたキッチンツールに内抽斗が干渉しないよう、部分的に凹んでいる。内抽斗の左右両側部は、キッチン収納庫の左右両側壁部に取り付けられているレールに載置される。
【０００５】
特許文献１，２に記載の収納家具は、何れも、キャビネットに収容されている外抽斗を引き出すと、内抽斗も同時的に引き出されるように構成されている。
【先行技術文献】
【特許文献】
【０００６】
【特許文献１】特許第４５８８４８５号公報
【特許文献２】特開２００８−２５３３２２号公報
【発明の概要】
【発明が解決しようとする課題】
【０００７】
特許文献１に記載の収納家具は、内抽斗の左右両側部が、何れもインナーレール及び受けレールによって支持されている。このため、受けレールに案内されたインナーレールと共に移動する内抽斗の進退は円滑である。しかしながら、特許文献１に記載の収納家具は、２組のインナーレール及び受けレールを備え、且つ、内抽斗をインナーレールに取り付けておかなければならないため、構造が複雑である。
【０００８】
一方、特許文献２に記載の収納家具は、内抽斗の左右両側部が、何れもレールに載置されているだけである。このため、特許文献２に記載の収納家具は、構造が簡単である。しかしながら、レールに載置されているだけの内抽斗が、レールに案内されて円滑に進退できるかどうかは不明である。
【０００９】
また、特許文献１，２に記載の収納家具においては、左右両方に、同じ長さの受けレール又はレールが必要である。しかも、内抽斗を左右対称形状にする必要があるため、内抽斗の設計の自由度が低い。
更に、特許文献１，２に記載の収納家具は、内抽斗の下方に瓶を収納しておらず、外抽斗に収納されている瓶の上方の空間が有効利用されていない。
【００１０】
本発明は斯かる事情に鑑みてなされたものであり、その主たる目的は、外抽斗に対応する抽斗の内部にデッドスペースが生じることを抑制することができ、内抽斗に対応する可動収納箱が案内レールに案内されて円滑に進退することができ、可動収納箱の設計の自由度が高く、構造が簡単な収納家具を提供することにある。
【課題を解決するための手段】
【００１１】
第１発明に係る収納家具は、キャビネットと、該キャビネットに進出／退入可能に収容され、瓶を縦置きで収納可能な瓶収納空間を内部に有する抽斗と、内部に物品が収納され、前記抽斗の進退方向に移動可能であり、少なくとも前記抽斗が前記キャビネットに収容されている場合に、前記抽斗の内部における前記瓶収納空間の上方に配される可動収納箱とを備える収納家具であって、前記可動収納箱の前記進退方向に交差する横方向の一側部を支持し、前記可動収納箱と共に移動する移動支持部と、該移動支持部の移動を案内し、前記進退方向に配されている案内レールと、該案内レールを支持するレール支持部と、前記可動収納箱の前記横方向の他側部が摺動可能に載置され、前記進退方向の長さが前記案内レールよりも短い載置台と、該載置台を支持する載置台支持部とを備えることを特徴とする。
【００１２】
第２発明に係る収納家具は、前記抽斗の内部を、物品を収納する物品収納空間と前記瓶収納空間とに仕切るべく、前記進退方向に沿って縦姿勢で前記抽斗の内部に配される仕切り板を更に備え、前記キャビネットの縦姿勢に配された前記進退方向に沿う壁部が、前記レール支持部及び載置台支持部の一方として機能するようにしてあり、前記仕切り板が、前記レール支持部及び載置台支持部の他方として機能するようにしてあることを特徴とする。
【００１３】
第３発明に係る収納家具は、前記壁部が、前記載置台支持部として機能するようにしてあり、前記仕切り板が、前記レール支持部として機能するようにしてあり、前記レール支持部における前記抽斗の進出側には、縦姿勢の円柱状又は円筒状のレール側係合部が設けられており、前記移動支持部には、前記抽斗が前記移動支持部に対して相対的に退入した場合に、前記レール側係合部の周面に当接して前記レール側係合部に係脱可能に係合する収納箱側係合部と、該収納箱側係合部の前記レール側係合部に対する係合を解除すべく操作される解除操作部とが設けられており、前記載置台支持部における前記抽斗の退入側には、前記可動収納箱の前記退入側の端部が接離可能に当接する当接部が配されており、前記抽斗が前記キャビネットへ退入した場合、前記可動収納箱が前記当接部に当接した状態で、前記収納箱側係合部と前記レール側係合部とが係合するようにしてあることを特徴とする。
【００１４】
第４発明に係る収納家具は、前記可動収納箱は、着脱可能に前記移動支持部に支持され、且つ着脱可能に前記載置台に載置され、トレイを用いてなり、他のトレイの第１係合部と係合する第２係合部が、前記一側部及び他側部の一方に設けられており、他のトレイの第２係合部と係合する第１係合部が、前記一側部及び他側部の他方に設けられていることを特徴とする。
【００１５】
第１発明にあっては、収納家具は、キャビネット、抽斗、可動収納箱、移動支持部、案内レール、レール支持部、載置台、及び載置台支持部を備える。
抽斗は、従来の外抽斗に対応し、可動収納箱は、従来の内抽斗に対応する。
以下では、抽斗の進退方向を前後方向といい、抽斗の進退方向に交差する横方向を左右方向という。また、抽斗の進出側を前側といい、抽斗の退入側を後ろ側という。なお、抽斗の進退方向が左右方向であり、抽斗の進退方向に交差する横方向が前後方向でもよい。
【００１６】
抽斗は、内部に瓶収納空間を有する。瓶収納空間には、瓶が縦置きで収納される。瓶は、横置きより縦置きで収納されている方が、利便性が高い。
可動収納箱は、少なくとも抽斗がキャビネットに収容されている場合に、抽斗の内部における瓶収納空間の上方に配される。従って、抽斗に収納されている瓶の上方の空間が有効利用される。抽斗がキャビネットに収容されている場合には、可動収納箱もキャビネットに収容されている。
【００１７】
可動収納箱に収納されている物品を取り出す場合、又は可動収納箱に物品を収納する場合、収納家具は、可動収納箱及び抽斗が共にキャビネットから引き出された状態で使用される。
一方、抽斗の瓶収納空間に収納されている瓶を取り出す場合、又は抽斗の瓶収納空間に瓶を収納する場合、収納家具は、抽斗がキャビネットから引き出された状態で使用される。この場合、可動収納箱は、抽斗の瓶収納空間の上方から退避していることが望ましい。このために、例えば使用者が可動収納箱をキャビネットに収容する。
【００１８】
移動支持部は可動収納箱の左右方向の一側部を支持する。また、移動支持部は可動収納箱と共に移動する。案内レールは前後方向に配されている。また、案内レールは移動支持部の移動を案内する。従って、可動収納箱は、移動支持部を介して案内レールに案内されて円滑に前後移動する。
【００１９】
載置台には、可動収納箱の左右方向の他側部が摺動可能に載置される。このため、収納家具において、可動収納箱の左右方向の他側部に関係する構造は簡単である。しかも、載置台の前後方向の長さは、案内レールの前後方向の長さよりも短い。何故ならば、可動収納箱は案内レールに案内されて円滑に移動するため、載置台が可動収納箱の移動を案内する必要はないからである。このため、載置台の前後方向の長さが案内レールの前後方向の長さと同じである場合よりも、載置台を形成する材料のコストが低減される。
【００２０】
仮に、載置台が存在しない場合、可動収納箱は、移動支持部を介し、案内レールのみによって片持ち支持される。このため、可動収納箱の支持が不安定になる。また、案内レールに過剰な負荷が加わる。
換言すれば、載置台が存在することによって、可動収納箱は左右両側から安定して支持される。また、案内レールに加わる負荷が軽減される。
【００２１】
案内レールは、レール支持部によって支持されている。載置台は、載置台支持部によって支持されている。レール支持部又は載置台支持部は、例えばキャビネットとは別の部材を用いてなるものであってもよく、キャビネットの一部を用いてなるものであってもよい。
【００２２】
第２発明にあっては、収納家具は、仕切り板を更に備える。
仕切り板は、抽斗の内部を左右に仕切る。抽斗の内部の、仕切り板によって仕切られた一方は、物品収納空間として用いられ、他方は瓶収納空間として用いられる。物品収納空間には、物品（瓶又は瓶以外）が収納され、瓶収納空間には瓶が縦置きで収納される。
抽斗の内部が仕切られると、縦姿勢で収納された物品の横転が抑制され、異種の物品の混在が抑制され、更に、同種の物品が限定された範囲に集中する。このため、物品の収納及び取り出しが簡便になる。しかも、抽斗の内部を仕切って使用する場合の方が、仕切らずに使用する場合よりも、抽斗の内部にデッドスペースが生じることが抑制される。
【００２３】
ところで、キャビネットの壁部の内、縦姿勢に配された前後方向に沿う壁部とは、例えばキャビネットにおける抽斗収容空間の左側壁部又は右側壁部である。以下では、この壁部を、左右側壁部という。
仕切り板は、前後方向に沿って、抽斗の内部に縦姿勢で配される。従って、仕切り板と左右側壁部とは左右方向に対面する。そして、左右側壁部は、レール支持部及び載置台支持部の一方として機能し、仕切り板は、レール支持部及び載置台支持部の他方として機能する。つまり、仕切り板は、単に抽斗の内部を仕切るものとしてのみならず、レール支持部又は載置台支持部としても活用される。
【００２４】
第３発明にあっては、キャビネットの左右側壁部は載置台支持部として機能する。一方、仕切り板はレール支持部として機能する。従って、レール支持部である仕切り板と、レール支持部によって支持される案内レールとは、抽斗の進退に伴って前後方向の配置位置が変化する。
【００２５】
レール支持部の前部には、縦姿勢の円柱状又は円筒状のレール側係合部が配されている。そして、移動支持部には、収納箱側係合部及び解除操作部が設けられている。従って、抽斗が、移動支持部（延いては可動収納箱）に対して相対的に退入（即ち相対的に後方移動）すれば、やがて収納箱側係合部が、レール側係合部の周面に当接し、滑らかにレール側係合部に係合する。このため、可動収納箱が抽斗に一体化される。故に、抽斗の進退と共に可動収納箱も前後移動する。
【００２６】
載置台支持部の後部には、当接部が配されている。当接部には、可動収納箱の後ろ側の端部が接離可能に当接する。従って、可動収納箱が後ろ側へ移動すれば、やがて当接部に当接する。このため、可動収納箱の後ろ側への過剰な移動が阻止される。
【００２７】
さて、抽斗がキャビネットへ退入した場合、可動収納箱が当接部に当接した状態で、収納箱側係合部とレール側係合部とが係合する。従って、この後、抽斗がキャビネットから引き出されれば、抽斗と一体化している可動収納箱も共に引き出される。
可動収納箱と抽斗との一体化は、解除操作部を操作すれば解除される。
【００２８】
使用者は、キャビネットから抽斗を引き出すことによって、抽斗と一体化している可動収納箱も引き出す。次いで、使用者は、可動収納箱への物品の収納又は可動収納箱からの物品の取り出しを行なう。最後に、使用者は、可動収納箱諸共、抽斗をキャビネットに収容させる。
【００２９】
或いは、使用者は、キャビネットから抽斗及び可動収納箱を引き出した後、解除操作部を操作する。この結果、可動収納箱と抽斗との一体化が解除される。次いで、使用者は、可動収納箱をキャビネットに収容させる。そして、使用者は、抽斗の瓶収納空間への瓶の収納又は瓶収納空間からの瓶の取り出しを行なう。最後に、使用者は、抽斗をキャビネットに収容させる。この結果、抽斗と可動収納箱とが再び一体化する。
【００３０】
第４発明にあっては、可動収納箱は、移動支持部及び載置台の両方に対して着脱可能である。このため、可動収納箱が不要であれば、例えば使用者が可動収納箱を取り外せばよい。即ち、使用者の都合に応じて可動収納箱の着脱が選択可能である。
取り外された可動収納箱は、トレイとして単独で使用することが可能である。
【００３１】
可動収納箱には、第１係合部及び第２係合部が設けられている。トレイとして使用される可動収納箱（以下、単にトレイと言う。他のトレイと区別する場合は、一のトレイという）の第１係合部が他のトレイの第２係合部と係合するか、又は、一のトレイの第２係合部が他のトレイの第１係合部と係合すれば、左右方向に連結された２枚のトレイが得られる。この後、一のトレイ又は他のトレイに、更に他のトレイを連結してもよい。連結されたトレイ同士は、第１係合部と第２係合部との係合を解除すれば、容易に分離する。
【００３２】
単独のトレイ又は連結されたトレイは、抽斗又は他の抽斗の底板上に載置することによって、例えば瓶から漏れ出た液体の受け皿として用いたり、抽斗又は他の抽斗の内部を区画して物品を整理し易くする整理トレイとして用いたりすることが可能である。
トレイが汚損又は破損した場合、汚損又は破損したトレイを１枚ずつ清掃、修繕、又は交換すればよい。
【発明の効果】
【００３３】
本発明の収納家具による場合、可動収納箱を用いて、抽斗に収納されている瓶の上方の空間を有効利用することができる。つまり、抽斗の内部にデッドスペースが生じることを抑制することができる。
可動収納箱は、案内レール及び移動支持部と載置台とに左右両側から安定的に支持されつつ、案内レールに案内されて円滑に進退することができる。しかも、載置台の構造は、案内レール及び移動支持部の構造に比べて簡単にすることができる。従って、収納家具の構造は、可動収納箱の左右方向の両側部に対応して案内レール及び移動支持部を備える場合よりも、簡単にすることができる。
【００３４】
更に、可動収納箱の左右方向の一側部は、移動支持部による支持が可能な構成であればよく、可動収納箱の左右方向の他側部は、載置台に載置されて摺動することが可能な構成であればよい。つまり、可動収納箱の形状は左右対称に限定されない。この結果、可動収納箱の設計の自由度を向上させることができる。
【図面の簡単な説明】
【００３５】
【図１】本発明の実施の形態に係る収納家具の外観を示す正面図である。
【図２】収納家具の抽斗近傍の構成を示す正面図である。
【図３】本収納家具の抽斗近傍の構成を示す平面図である。
【図４】収納家具の可動収納箱近傍の構成を示す正面図である。
【図５】可動収納箱の構成を示す正面図である。
【図６】可動収納箱の構成を示す右側面図である。
【図７】可動収納箱の構成を示す左側面図である。
【図８】可動収納箱の構成を示す平面図である。
【図９】可動収納箱の構成を示す底面図である。
【図１０】収納家具の移動支持部が備える本体部材の構成を示す右側面図である。
【図１１】移動支持部の構成を示す平面図である。
【図１２】抽斗と可動収納箱との一体化／一体化解除を説明するための底面図である。
【図１３】抽斗と可動収納箱との一体化／一体化解除を説明するための底面図である。
【図１４】抽斗と可動収納箱との一体化／一体化解除を説明するための底面図である。
【図１５】抽斗と可動収納箱との一体化／一体化解除を説明するための底面図である。
【発明を実施するための形態】
【００３６】
以下、本発明を、その実施の形態を示す図面に基づいて詳述する。以下の説明では、図において矢符で示す上下、前後、及び左右を使用する。
【００３７】
図１は、本発明の実施の形態に係る収納家具１の外観を示す正面図である。図１においては、紙面垂直方向の手前側（及び奥側）が前側（及び後ろ側）である。
収納家具１は、システムキッチンとして構成されている。収納家具１は、コンロ台１０、調理台１１、及びシンク台１２を一体に備えたＩ型キッチンである。収納家具１の左側部、左右方向中央部、及び右側部が、コンロ台１０、調理台１１、及びシンク台１２として機能する。
【００３８】
コンロ台１０は、上部にビルトイン型のグリル付きコンロ１０１を内蔵している。また、コンロ台１０には、グリル付きコンロ１０１の左側に配された抽斗１０２と、グリル付きコンロ１０１及び抽斗１０２の下側に配された上下２段の抽斗１０３，１０４とが設けられている。抽斗１０２に収納される物品としては、塩又は胡椒等の調味料の小瓶が挙げられる。抽斗１０３，１０４に収納される物品としては、鍋又はフライパン等、主にコンロ台１０で使用される調理用具が挙げられる。
【００３９】
調理台１１は、コンロ台１０の右側に隣接している。調理台１１は、上部にビルトイン型の食器洗い乾燥機１１１を内蔵している。また、調理台１１には、食器洗い乾燥機１１１の左側に配された抽斗３と、可動収納箱４（後述する図２及び図３参照）と、食器洗い乾燥機１１１及び抽斗３の下側に配された抽斗１１２とが設けられている。抽斗１１２に収納される物品としては、常温で保存される小麦粉又は乾物等の食品が挙げられる。
シンク台１２は、調理台１１の右側に隣接している。シンク台１２には、上下２段の抽斗１２１，１２２が設けられている。抽斗１２１，１２２に収納される物品としては、包丁又は俎板等、主に調理台１１で使用される調理用具が挙げられる。
【００４０】
キャビネット２は、中空の直方体状になしてある。キャビネット２は、コンロ台１０、調理台１１、及びシンク台１２の本体となる。キャビネット２は、収納家具１の外壁を構成する左右両側壁部及び後側壁部と、開口を有する天壁部と、これらによって囲繞された空間を区画する複数枚の壁部とを用いてなる。キャビネット２の天壁部に設けられている開口は、キャビネット２の上部に、図示しないシンクが設けられたワークトップ（天板）１３が取り付けられることによって閉鎖される。
収納家具１は、キャビネット２に、グリル付きコンロ１０１及び食器洗い乾燥機１１１を組み込み、ワークトップ１３を取り付け、抽斗１０２〜１０４，１１２，１２１，１２２，３を収容してなる。
【００４１】
図２及び図３は、収納家具１の抽斗３近傍の構成を示す正面図及び平面図である。図２では、ワークトップ１３の図示は省略している。図３では、ワークトップ１３、並びに各後述する天壁部２５、ギャラリーバー３６，３７、及び移動支持部５の図示は省略している。
【００４２】
収納家具１において、抽斗３が収容される空間（以下、抽斗収容空間という）ＣＳは、キャビネット２が有する５枚の壁部と、ワークトップ１３とに囲繞されてなる。この５枚の壁部を、以下では左側壁部２１、右側壁部２２、底壁部２３、後側壁部２４、及び天壁部２５という。左側壁部２１、右側壁部２２、底壁部２３、及び後側壁部２４は、抽斗収容空間ＣＳの左側、右側、下側（底側）、及び後ろ側（奥側）に配されている。天壁部２５及びワークトップ１３は、抽斗収容空間ＣＳの上側に配されている。
左側壁部２１及び右側壁部２２は、夫々前後方向に沿う縦姿勢に配された矩形平板状になしてあり、互いに対面している。底壁部２３及び天壁部２５は、夫々横姿勢に配された矩形平板状になしてあり、互いに対面している。後側壁部２４は、左右方向に沿う縦姿勢に配された矩形平板状になしてある。
【００４３】
底壁部２３上面の左側部及び右側部には、長手方向が前後方向に沿う案内レール２３１，２３２が配されている。案内レール２３１，２３２は、互いに鏡像対称性を有する。
右側壁部２２左面には、後述する載置台６２及び当接部６５が取り付けられている。このため、右側壁部２２は、本発明の実施の形態における載置台支持部として機能する。
【００４４】
次に、抽斗３について説明する。
抽斗３は、前板３１、先板３２、底板３３、妻板３４，３５、及びギャラリーバー３６，３７を備えている。
前板３１、先板３２、及び底板３３は、抽斗３の前部、後部、及び底部を構成する矩形平板状部材である。
妻板３４，３５は、抽斗３の左右両側部を構成している。妻板３４の右面及び妻板３５の左面（即ち、妻板３４，３５夫々における抽斗３の内部側の面）は、底板３３に対して、上部側から下部側へ向けて妻板３４，３５の左右方向の長さ（左右長さ）を増大するように傾斜している。
ギャラリーバー３６，３７夫々は、パイプを用いてなる棒状部材である。ギャラリーバー３６，３７は、妻板３４，３５の上方にて前板３１と先板３２とを連結している。
抽斗３は、案内レール２３１，２３２に案内されて、抽斗収容空間ＣＳに対して前後方向に進退する。
【００４５】
抽斗３の内部には、仕切り板６３が配されている。仕切り板６３は、前後方向に沿う縦姿勢に配された矩形平板状になしてある。仕切り板６３は、抽斗３の内部を、左右方向に２分割する。
このために、前板３１の後面及び先板３２の前面（即ち、前板３１及び先板３２夫々における抽斗３の内部側の面）には、仕切り板６３を支持する２個の板支持部材３８，３８が取り付けられている。前板３１に取り付けられている板支持部材３８が仕切り板６３の前端部を支持し、先板３２に取り付けられている板支持部材３８が仕切り板６３の後端部を支持しているため、仕切り板６３は縦姿勢の状態で安定して支持される。
以下では、前板３１、先板３２、及び仕切り板６３夫々が、木材又は木質材を用いてなる場合を例示する。
【００４６】
２個の板支持部材３８，３８は、同一の構成である。図２には、先板３２に取り付けられている板支持部材３８が示されている。
板支持部材３８は、平面視コ字状且つ側面視矩形状の柱状部材である。板支持部材３８は、矩形板状の基部３８１及び突出部３８２，３８２を一体に有する。基部３８１は、一面を前板３１（又は先板３２）に接触させた縦姿勢で、図示しない木ネジを用いて、前板３１（又は先板３２）にネジ留め固定されている。突出部３８２，３８２は互いに対面しており、妻板３４，３５に沿う方向に、基部３８１の左右両端部から突出している。基部３８１及び突出部３８２，３８２に囲繞された空間は、長手方向が上下方向に沿う溝状である。この溝状の空間に、仕切り板６３が挿入されている。そして、突出部３８２，３８２が、複数本の木ネジ３８３，３８３，…を用いて、仕切り板６３にネジ留め固定されている。
板支持部材３８，３８夫々の最下部と底板３３の上面との離隔距離は、後述するトレイ４０の高さよりも長い。
【００４７】
抽斗３の内部において、仕切り板６３の左側の空間は、物品を収納する物品収納空間ＡＳとして機能する。本実施の形態では、物品収納空間ＡＳに、お玉杓子又はフライ返し等のレードルが収納される場合を例示する。このために、仕切り板６３の左面上部には、レードル保持具６６が取り付けられている。レードル保持具６６には、１本のレードルの柄を着脱可能に保持する柄保持部が、前後方向に複数個並設してある。お玉杓子又はフライ返し等は、お玉杓子の杓子部又はフライ返しのすくい部等を下側に向け、柄を上側に向けた縦姿勢で、レードル保持具６６の柄保持部に保持される。
レードル保持具６６の詳細な構成は限定されないが、例えば、特許文献２に記載されている調理小物ホルダのような構成であればよい。
【００４８】
抽斗３の内部に関し、仕切り板６３の右側の空間における下部から上下方向中央部までの空間は、醤油又は食用油等の瓶を収納することが可能な上下方向の長さ（上下長さ）、左右長さ、及び前後方向の長さ（前後長さ）を有している。この空間は、瓶収納空間ＢＳとして機能する。また、抽斗３の内部に関し、仕切り板６３の右側の空間における上部には、可動収納箱４が移動可能に配される。仕切り板６３の右側の空間における上部は、収納箱配置空間ＤＳして機能する。
瓶収納空間ＢＳの上下長さは、収納箱配置空間ＤＳに位置している可動収納箱４の最下部と底板３３の上面との離隔距離に等しい。瓶収納空間ＢＳの上下長さは、一般的な大型の瓶の高さ（例えば一升瓶の高さ約40cm）よりも長い。故に、瓶収納空間ＢＳには、一般的な瓶を縦置きで収納することが可能である。
使用者にとっては、瓶が縦置きで収納されている方が、横置きで収納されているよりも利便性が高い。
【００４９】
仕切り板６３の右面上部には、案内レール６１が取り付けられている。仕切り板６３は、本発明の実施の形態におけるレール支持部として機能する。可動収納箱４は、移動支持部５を介して案内レール６１に案内されて前後移動する。移動支持部５及び案内レール６１夫々の構成、並びに可動収納箱４の前後移動の詳細については後述する。
【００５０】
本実施の形態では、瓶収納空間ＢＳに収納された瓶から漏れ出た液体の受け皿として、トレイ４０が用いられる。トレイ４０は、瓶収納空間ＢＳにおける底板３３の上面に着脱可能に載置される。
トレイ４０と可動収納箱４とは、同一の構成である。換言すれば、可動収納箱４はトレイ４０と同一の構成のトレイを用いてなる。
瓶収納空間ＢＳに配されたトレイ４０の底壁部の上面と、収納箱配置空間ＤＳに位置している可動収納箱４の最下部との離隔距離は、一般的な大型の瓶の高さよりも長い。
【００５１】
トレイ４０は矩形皿状になしてある。
トレイ４０の高さは、抽斗３の底板３３の上面と板支持部材３８の最下部との離隔距離よりも低い。このため、板支持部材３８，３８がトレイ４０の着脱可能な載置を妨げることが抑制されている。
トレイ４０の底壁部の下面には、図示しない球面状の脚部（可動収納箱４の後述する脚部４３１，４３１，…に相当する部分）が複数個突設されている。トレイ４０の脚部の底壁部からの突出量は、トレイ４０の上下長さに比べて十分に小さい。このため、トレイ４０の底壁部と底板３３との間の隙間が大きなデッドスペースとなることはない。
【００５２】
トレイ４０の左側壁上部及び右側壁上部夫々の外面には、突出部分（可動収納箱４の各後述する掛止部４６及び第２係合部４８，４８に相当する部分）が存在する。各突出部分の先端部は、仕切り板６３の右面及び妻板３５の左面に接触する。この結果、トレイ４０の左側壁部と仕切り板６３との間、及び、トレイ４０の右側壁部と妻板３５との間には空隙が生じる。
とはいえ、妻板３５の左面は、妻板３５が裾広がり状になるよう傾斜している。このため、トレイ４０の右側壁部と妻板３５との間に生じる空隙は小さい。
トレイ４０の右端壁下部と底壁右端部との境界部分は、角部を丸めたような弧状になしてある。このため、妻板３５の左側下部とトレイ４０の右側下部とが干渉し合うことが抑制されている。
【００５３】
トレイ４０の前後長さは、抽斗３の前板３１と先板３２との離隔距離に対応する。故に、トレイ４０の前壁部（及び後壁部）と抽斗３の前板３１（及び先板３２）との間に生じる空隙は小さい。
以上の結果、トレイ４０の載置によって瓶収納空間ＢＳに大きなデッドスペースが生じることが抑制されている。
【００５４】
次に、可動収納箱４について説明する。
図４は、収納家具１の可動収納箱４近傍の構成を示す正面図である。図４は、図２における可動収納箱４近傍の拡大正面図でもある。
図５、図６、図７、図８、及び図９は、可動収納箱４の構成を示す正面図、右側面図、左側面図、平面図、及び底面図である。可動収納箱４は、前後対称且つ上下左右非対象形状になしてある。このため、図６及び図８には、可動収納箱４の前半分が図示してあり、図７及び図９には、可動収納箱４の後ろ半分が図示してある。
【００５５】
可動収納箱４は、トレイ４０と同一寸法及び同一形状を有する矩形皿状になしてある。ただし、トレイ４０は、可動収納箱４とは前後及び左右の向きが逆になるよう瓶収納空間ＢＳに配されている。従って、可動収納箱４の前壁部４１、後壁部４２、底壁部４３、左壁部４４、及び右壁部４５は、トレイ４０の後壁部、前壁部、底壁部、右側壁部、及び左側壁部に相当する。
可動収納箱４の前壁部４１及び後壁部４２夫々と底壁部４３との境界部分、並びに、右壁部４５と底壁部４３との境界部分は、何れも直角状になしてある。一方、可動収納箱４の左壁部４４と底壁部４３との境界部分は、角部を丸めたような弧状になしてある。
【００５６】
底壁部４３の下面には、夫々の表面が球面状をなす複数個の脚部４３１，４３１，…が一体に突設されている。
左壁部４４には、掛止部４６が一体に突設されている。掛止部４６の左壁部４４からの突出量は、可動収納箱４の左右長さに比べて十分に小さい。掛止部４６の最上部の上下方向の配置位置は、左壁部４４（及び右壁部４５）の上端部の上下方向の配置位置よりも下側である。
掛止部４６は、正面視が倒立Ｌ字状のアングル状をなし、Ｌ字の一側部が左壁部４４に垂直に配されている。掛止部４６の上下長さは、左壁部４４の上下長さの半分未満である。掛止部４６の前後長さは、左壁部４４の前後長さよりも短い。
【００５７】
左壁部４４と掛止部４６とに囲繞される部分は、下側に向けて開口する溝状の凹部４６０である。凹部４６０の内部には、リブ４６１，４６１，…とリブ４６２，４６２，…とが、前後方向に並設してある。本実施の形態では、可動収納箱４の前端部側（又は後端部側）から順に、２個のリブ４６１，４６１が並設してあり、次に５個のリブ４６２，４６２，…が並設してあり、次に３個のリブ４６１，４６１，…が並設してあり、更に５個のリブ４６２，４６２，…が並設してあり、再び３個のリブ４６１，４６１，…が並設してあり、５個のリブ４６２，４６２，…が並設してあり、最後に２個のリブ４６１，４６１が並設してある。
各リブ４６１は、正面視矩形状になしてある。各リブ４６１は、掛止部４６を補強すべく左壁部４４と掛止部４６とに亘って設けられている。
各リブ４６２は、左壁部４４の上端部を補強すべく左壁部４４に突設されている。リブ４６２は、正面視逆三角形状になしてあり、左壁部４４からの突出量が、上部側から下部側へ向けて徐々に小さくなっている。
【００５８】
掛止部４６の前後両端部には、第１係合部４７，４７が一体に設けられている。前側（及び後ろ側）の第１係合部４７は、掛止部４６のＬ字の他側部から前方（及び後方）へ突出している。第１係合部４７の最上部の上下方向の配置位置は、左壁部４４（及び右壁部４５）の上端部の上下方向の配置位置よりも下側である。前側の第１係合部４７の最前部の前後方向の配置位置は、前壁部４１よりも後ろ側である。後ろ側の第１係合部４７の最後部の前後方向の配置位置は、後壁部４２よりも前側である。
【００５９】
右壁部４５には、２個の第２係合部４８，４８が突設されている。第２係合部４８，４８は前後方向に並設されている。前側の第２係合部４８は、前壁部４１に面一に右壁部４５から突出する矩形状の第１面部と、右壁部４５に平行に第１面部の先端部から突出する矩形状の第２面部と、第１面部、第２面部、及び右壁部４５の上端部を連結する矩形状の第３面部とを有する。後ろ側の第２係合部４８は、後壁部４２に面一に右壁部４５から突出する矩形状の第４面部と、右壁部４５に平行に第４面部の先端部から突出する矩形状の第５面部と、第４面部、第５面部、及び右壁部４５の上端部を連結する矩形状の第６面部とを有する。ただし、前側の第２係合部４８の第３面部と後ろ側の第２係合部４８の第６面部とは被覆面部４８１によって連結されている。ここで、被覆面部４８１とは、右壁部４５の上端部から右方向へ突出する平面部分である。
【００６０】
後述するように、抽斗３が抽斗収容空間ＣＳに収容されている場合、可動収納箱４は、収納箱配置空間ＤＳに位置している状態で、抽斗収容空間ＣＳに収容されている。抽斗３が抽斗収容空間ＣＳから引き出されない限り、可動収納箱４を抽斗収容空間ＣＳから引き出すことはできない。
本実施の形態では、可動収納箱４に収納される物品として、ナイフ又はフォーク等のカトラリーを例示する。
【００６１】
次に、案内レール６１及び移動支持部５について説明する。
案内レール６１は、スライドレールを用いてなり、固定側レール６１１及び移動側レール６１２を備える（図４参照）。
固定側レール６１１は、仕切り板６３の前端部から後端部に亘る長さを有し、前後方向に配されて、仕切り板６３に固定されている。固定側レール６１１は、抽斗３の進退に伴い、仕切り板６３と共に前後移動する。
固定側レール６１１の前端部（延いては仕切り板６３の前端部）には、レール側係合部６４（図３参照）が設けられている。レール側係合部６４は、縦姿勢の円筒状部材が周方向に回動可能に支持されたローラ状になしてある。
【００６２】
移動側レール６１２は、固定側レール６１１よりも短い。移動側レール６１２は、回転体を介して固定側レール６１１に摺動可能に係合している。このため、移動側レール６１２は円滑に、仕切り板６３に対する相対的な前後移動を行なう。移動側レール６１２が前後移動可能な範囲は、固定側レール６１１の前端部から後端部までの範囲である。
移動側レール６１２には、移動支持部５が取り付けられている。故に、移動支持部５は、案内レール６１に案内されて前後移動する。
【００６３】
図１０は、移動支持部５が備える本体部材５０１の構成を示す右側面図である。図１１は、移動支持部５の構成を示す平面図である。
移動支持部５は、本体部材５０１、及び、本体部材５０１とは別体の可撓部材５０２を備える。
本体部材５０１は、第１固定部５１及び挿入部５２を一体に有する。本体部材５０１は対称形状になしてある。従って、図１０及び図１１には、本体部材５０１の前半分が図示してある。
第１固定部５１は、前後方向に沿う矩形棒状になしてある。第１固定部５１の前端部（及び後端部）には、後述する第２固定部５４の先端部分を嵌め込むことが可能な嵌込凹部５１１が形成してある。また、第１固定部５１には、複数個のネジ挿通孔５１２，５１２，…が前後方向に並設してある。各ネジ挿通孔５１２は、第１固定部５１を左右方向に貫通する。各嵌込凹部５１１の形成位置には、ネジ挿通孔５１２が配されている。
【００６４】
挿入部５２は、前後方向に沿う縦姿勢の板状をなし、本体部材５０１の上部に突設されている。挿入部５２は、掛止部４６の凹部４６０に挿入される。挿入部５２の上端部には、リブ４６２，４６２，…に対応する位置に、リブ４６２，４６２，…を回避するための回避凹部５２１，５２１，…が設けられている。
【００６５】
可撓部材５０２は、解除操作部５３、第２固定部５４、収納箱側係合部５５、及びローラ接触部５６を一体に有する。可撓部材５０２は、平面視がくの字（即ち、屈曲部分が鈍角状のＬ字）状をなす縦姿勢の板状部材である。
可撓部材５０２におけるくの字の一側は、解除操作部５３として機能する。解除操作部５３は、可撓部材５０２の前端側に位置している。
可撓部材５０２におけるくの字の他側は、第２固定部５４として機能する。第２固定部５４は、可撓部材５０２の後端側に位置している。第２固定部５４には、第２固定部５４を左右方向に貫通する図示しないネジ挿通孔が設けてある。
【００６６】
可撓部材５０２におけるくの字の屈曲部分には、収納箱側係合部５５及びローラ接触部５６が前後方向に隣接して設けてある。収納箱側係合部５５は第２固定部５４に隣接し、ローラ接触部５６は解除操作部５３に隣接している。つまり、可撓部材５０２においては、前側から後ろ側へ、解除操作部５３、ローラ接触部５６、収納箱側係合部５５、及び第２固定部５４が、この順に配されている。
収納箱側係合部５５及びローラ接触部５６は、何れも、可撓部材５０２の屈曲部分の屈曲の外側に設けられている。
収納箱側係合部５５は、可撓部材５０２の屈曲部分の屈曲の内側へ向けて窪んだ部分である。
ローラ接触部５６は、可撓部材５０２の屈曲部分の屈曲の外側へ向けて膨らんだ部分である。ローラ接触部５６は、解除操作部５３と収納箱側係合部５５との間を滑らかに連結している。
【００６７】
可撓部材５０２は、本体部材５０１の前端部に固定される。更に詳細には、まず、第２固定部５４が、解除操作部５３を前側に配した姿勢で、第１固定部５１の前端部側の嵌込凹部５１１に嵌め込まれる。そして、第１固定部５１が、ネジ挿通孔５１２，５１２，…を通して、案内レール６１の移動側レール６１２にネジ留めされる。このとき、第２固定部５４は、嵌込凹部５１１に位置するネジ挿通孔５１２を用いて第１固定部５１と共に移動側レール６１２にネジ留めされる。つまり、第１固定部５１、第２固定部５４、及び移動側レール６１２は、右側からこの順に配されて共締めされる。第１固定部５１及び第２固定部５４が移動側レール６１２にネジ留め固定された場合、解除操作部５３は、左後方から右前方へ突出するような傾斜姿勢で配される。また、ローラ接触部５６は、収納箱側係合部５５に比して、左側へ向けて膨らんでいるような姿勢で配され、収納箱側係合部５５は、ローラ接触部５６に比して、右前方へ向けて窪んでいるような姿勢で配される。
【００６８】
以上のようにして本体部材５０１に固定された可撓部材５０２は、適宜の外力が加えられた場合に、可撓部材５０２の本体部材５０１に固定されていない部分（具体的には、解除操作部５３、収納箱側係合部５５、及びローラ接触部５６）が、容易に撓む。そして、外力が加えられなくなると、容易に元の形状に復元する。
【００６９】
次に、図２〜図４を参照しつつ、載置台６２及び当接部６５について説明する。
載置台６２は、正面視が倒立Ｌ字状のアングル状部材を用いてなる。そして、載置台６２のアングルの一側が、右側壁部２２に取り付けられている。従って、載置台６２のアングルの他側は、右側壁部２２から左方へ突出する横姿勢に配されている。
載置台６２は、右側壁部２２の左面前端部に配されている。抽斗３の進退と共に前後移動する案内レール６１とは異なり、載置台６２は、抽斗３の進退及び可動収納箱４の前後移動の何れとも無関係に、前後方向の配置位置が一定である。このため、仮に、載置台６２が右側壁部２２の後端部に配されている場合、可動収納箱４が前方移動すると、載置台６２から脱落する虞がある。
【００７０】
載置台６２の上下方向の配置位置は、案内レール６１よりも下側、且つ、瓶収納空間ＢＳに収納された瓶よりも上側である。
載置台６２の前後長さは、案内レール６１の固定側レール６１１の前後長さより短い。
載置台６２の上面には、可動収納箱４の底壁部４３の下面の右端部が、摺動可能に載置される。可動収納箱４は、載置台６２に対して着脱可能である。
【００７１】
当接部６５は、平面視がＬ字状のアングル状部材を用いてなる。そして、当接部６５のアングルの一側が、右側壁部２２に取り付けられている。従って、当接部６５のアングルの他側は、右側壁部２２から左方へ突出する縦姿勢に配されている。当接部６５の前後方向の配置位置は、抽斗収容空間ＣＳに収容された抽斗３における先板３２の前後方向の配置位置よりも後方である。当接部６５の上下方向の配置位置は、当接部６５の最下端が載置台６２の最上端に対応する位置である。
当接部６５の前面には、抽斗収容空間ＣＳに収容された可動収納箱４の後壁部４２の後面が、着脱可能に当接する。
【００７２】
次に、収納家具１の使用手順について説明する。ここでは、抽斗３は既に抽斗収容空間ＣＳに収容されているが、可動収納箱４はまだ抽斗収容空間ＣＳに収容されていないものとする。
まず、使用者は、抽斗３を抽斗収容空間ＣＳから引き出す。次いで、使用者は、可動収納箱４の掛止部４６を移動支持部５の挿入部５２に上側から掛止し、可動収納箱４の底壁部４３を載置台６２に載置する。このとき、可動収納箱４の凹部４６０に、移動支持部５の挿入部５２が下側から挿入される。更に詳細には、凹部４６０の前側の２個のリブ４６１，４６１と、中央の３個のリブ４６１，４６１，…との間に、挿入部５２が挿入される。挿入部５２に回避凹部５２１，５２１，…が設けられているため、リブ４６２，４６２，…が挿入部５２の挿入を阻害することはない。移動支持部５の解除操作部５３は、可動収納箱４の前壁部４１と抽斗３の前板３１との間に配される。
【００７３】
以上のようにして、可動収納箱４は、着脱可能に移動支持部５に支持され、且つ着脱可能に載置台６２に載置される。
可動収納箱４の取り付け完了後、使用者は、抽斗３を抽斗収容空間ＣＳへ押し入れる。このとき、抽斗３と共に、仕切り板６３、延いては案内レール６１及びレール側係合部６４が、後方移動する。そして、レール側係合部６４は、前方から移動支持部５へ接近する。この後、レール側係合部６４が移動支持部５に接触する（後述する図１２参照）。この結果、可動収納箱４は、レール側係合部６４及び移動支持部５を介して抽斗３から後方への外力を加えられる。
【００７４】
可動収納箱４は、後方への外力を加えられることによって、移動支持部５を介して案内レール６１に案内されながら後方移動する。可動収納箱４の後方移動は、可動収納箱４の後壁部４２が当接部６５に当接することによって完了する。このとき、可動収納箱４は抽斗収容空間ＣＳに収容されている。可動収納箱４は当接部６５に当接するため、可動収納箱４の押し入れすぎによる可動収納箱４の脱落が生じることはない。
抽斗３の退入は、可動収納箱４が抽斗収容空間ＣＳに収容された後で完了する。このとき、抽斗３は抽斗収容空間ＣＳに収容される。
【００７５】
以上のように、使用者が抽斗３を抽斗収容空間ＣＳへ押し入れれば、可動収納箱４は同時的に抽斗収容空間ＣＳへ押し入れられる。無論、使用者が、先に可動収納箱４を抽斗収容空間ＣＳへ押し入れ、後から抽斗３を抽斗収容空間ＣＳへ押し入れても、特段の問題はない。
抽斗３と共に抽斗収容空間ＣＳに収容されている可動収納箱４は、収納箱配置空間ＤＳに位置している。
可動収納箱４の前方には、抽斗３の前板３１が存在する。従って、抽斗３が抽斗収容空間ＣＳから引き出されない限り、抽斗収容空間ＣＳに収容されている可動収納箱４を引き出すことはできない。
とはいえ、可動収納箱４を引き出したい場合に、使用者が抽斗３を抽斗収容空間ＣＳから引き出し、次いで可動収納箱４を抽斗収容空間ＣＳから引き出す、という手順は不便である。
【００７６】
このため、収納家具１は、抽斗３と可動収納箱４とを一体化させ、抽斗３を抽斗収容空間ＣＳから引き出せば、抽斗３の引き出しに連動して可動収納箱４が抽斗収容空間ＣＳから引き出されるように構成してある。また、収納家具１は、可動収納箱４に対する物品の収納／取り出しが終了した場合、又は、可動収納箱４に対する物品の収納／取り出しを行なわない場合に、使用者が手動で抽斗３と可動収納箱４との一体化を解除して、可動収納箱４のみ抽斗収容空間ＣＳへ押し入れることができるようにしてある。
【００７７】
ここで、抽斗３と可動収納箱４との一体化／一体化解除のための構成について説明する。
図１２〜図１５は、抽斗３と可動収納箱４との一体化／一体化解除を説明するための底面図である。図１２〜図１５には、移動支持部５の可撓部材５０２と、レール側係合部６４とが図示してある。
抽斗３が退入すると、レール側係合部６４は、前方から移動支持部５へ接近する。そして、図１２に示すように、レール側係合部６４が移動支持部５の解除操作部５３とローラ接触部５６との境界部分に接触する。この結果、レール側係合部６４から移動支持部５へ外力が加えられる。この外力は、移動支持部５から可動収納箱４へ伝えられ、可動収納箱４を後方移動させる力として作用する。故に、可動収納箱４は、自身の後方移動が完了するまで、即ち後壁部４２が当接部６５に当接するまで、抽斗３の退入に伴って後方移動する。
【００７８】
後壁部４２が当接部６５に当接した可動収納箱４は停止する。一方、抽斗３は、自身が抽斗収容空間ＣＳに収容されるまで、更に退入する。
この結果、レール側係合部６４から移動支持部５へ加えられた外力は、移動支持部５の可撓部材５０２を撓ませる力として作用する。このとき、可撓部材５０２は、レール側係合部６４によって右側へ押しのけられるようなかたちで撓む。
可撓部材５０２が撓み始めると、レール側係合部６４は、移動支持部５の解除操作部５３とローラ接触部５６との境界部分からローラ接触部５６へ移動する（図１３参照）。この後、レール側係合部６４は、ローラ接触部５６の表面に当接して回転することによって、円滑に収納箱側係合部５５へ移動する。
【００７９】
レール側係合部６４とローラ接触部５６とが当接している間は、レール側係合部６４からローラ接触部５６を介して可撓部材５０２へ、可撓部材５０２を右側へ押しのけるような外力が働き続ける。このため、可撓部材５０２は撓んだ状態で維持される。
レール側係合部６４が収納箱側係合部５５に到達すると、レール側係合部６４から可撓部材５０２へ働いていた外力が失われる。この結果、可撓部材５０２は元の形状に復元する。このとき、レール側係合部６４の周面と収納箱側係合部５５の凹状部分とが当接して係合する（図１４）。
抽斗３の退入は、レール側係合部６４と収納箱側係合部５５とが係合した場合に完了するようにしてある。
以上のようにして、抽斗３が抽斗収容空間ＣＳへ退入した場合、可動収納箱４が当接部６５に当接した状態で、収納箱側係合部５５とレール側係合部６４とが係合する。
【００８０】
使用者が抽斗収容空間ＣＳに収容されている抽斗３を引き出した場合、抽斗３の進出に伴ってレール側係合部６４が前方移動する。このとき、レール側係合部６４から収納箱側係合部５５、延いては移動支持部５へ外力が加えられる。この外力は、移動支持部５から可動収納箱４へ伝えられ、可動収納箱４を前方移動させる力として作用する。故に、可動収納箱４は、抽斗３の進出が完了するまで、抽斗３と共に前方移動する。つまり、抽斗３と可動収納箱４とが連動する。
収納箱側係合部５５とレール側係合部６４とが係合したままであれば、抽斗３と可動収納箱４とは連動して抽斗収容空間ＣＳから進出又は抽斗収容空間ＣＳへ退入する。
【００８１】
収納箱側係合部５５とレール側係合部６４とが係合している状態では、可動収納箱４は、抽斗３の収納箱配置空間ＤＳに位置している。従って、可動収納箱４は、少なくとも抽斗３がキャビネット２の抽斗収容空間ＣＳに収容されている場合に、瓶収納空間ＢＳの上方に配される。この結果、瓶収納空間ＢＳの上方の空間を有効活用することができる。
使用者は、抽斗収容空間ＣＳから引き出した可動収納箱４に対するカトラリーの収納／取り出しを行なう。このとき、収納箱側係合部５５とレール側係合部６４とが係合したままであれば、例えば使用者の手が可動収納箱４に衝突したときに可動収納箱４が無用に前後移動してしまうような不都合が起きない。従って、使用者の利便性が高い。
【００８２】
さて、抽斗収容空間ＣＳから引き出された抽斗３の物品収納空間ＡＳに対するレードルの収納／取り出しは、可動収納箱４の配置位置とは無関係に行なうことができる。
一方、抽斗収容空間ＣＳから引き出された抽斗３の瓶収納空間ＢＳに対する瓶の収納／取り出しは、瓶の高さが低ければ、収納箱配置空間ＤＳに位置している可動収納箱４を回避するようにして行なうことが不可能ではない。しかしながら、瓶収納空間ＢＳに対する瓶の収納／取り出しは、可動収納箱４が収納箱配置空間ＤＳから退避している状態（具体的には、抽斗収容空間ＣＳに収容されている状態）で行なう方が、利便性が高い。
そこで、使用者は、収納箱側係合部５５とレール側係合部６４との係合を解除し、可動収納箱４を抽斗収容空間ＣＳへ押し入れてから、瓶収納空間ＢＳに対する瓶の収納／取り出しを行なう。
【００８３】
収納箱側係合部５５とレール側係合部６４との係合を解除するために、使用者は、図１５に示すように、解除操作部５３を右後方（即ち使用者から見て右奥側）へ押す。すると、可撓部材５０２は、使用者から受けた外力によって右側へ押しのけられるようなかたちで撓む。この結果、収納箱側係合部５５、更にはローラ接触部５６が、レール側係合部６４から右方へ離隔する。このとき、抽斗３と可動収納箱４との一体化が解除される。この後、使用者が可動収納箱４を抽斗収容空間ＣＳへ押し入れれば、抽斗３が抽斗収容空間ＣＳから引き出された状態のままで、可動収納箱４が単独で抽斗収容空間ＣＳに収容される。
【００８４】
収納箱側係合部５５とレール側係合部６４との係合が解除された後は、抽斗３及び可動収納箱４が共に抽斗収容空間ＣＳに収容されれば、収納箱側係合部５５とレール側係合部６４とが再び係合する。また、収納箱側係合部５５とレール側係合部６４との係合が解除された後で、使用者が可動収納箱４を前方移動させれば、抽斗３は移動支持部５に対して相対的に退入する。このため、収納箱側係合部５５とレール側係合部６４とを再び係合せることができる。
【００８５】
可動収納箱４は、単独で前後移動する場合でも、抽斗３と連動して前後移動する場合でも、移動支持部５を介して、案内レール６１に案内されて円滑に進退する。このとき、可動収納箱４の自重及び可動収納箱４に収納されたカトラリーの重量は、案内レール６１と載置台６２とに分散して支持される。従って、載置台６２が存在しない場合に比べて、案内レール６１の負荷は軽減される。一方、案内レール６１が存在するため、載置台６２が可動収納箱４の進退を案内する必要はない。従って、載置台６２の前後長さが案内レール６１より短くても特段の問題はない。そればかりか、載置台６２が案内レール６１以上の前後長さを有している場合よりも、載置台６２の材料費が低減される。しかも、載置台６２の構造、及び、可動収納箱４が載置台６２に対して摺動可能に載置されるための構造は単純である。故に、載置台６２に替えて、案内レール６１と同様の案内レールを備える場合に比べ、収納家具１の構造を簡単にすることができる。
【００８６】
ところで、使用者が可動収納箱４を上方へ持ち上げれば、可動収納箱４の凹部４６０から移動支持部５の挿入部５２が抜脱され、載置台６２から可動収納箱４の底壁部４３が離脱する。従って、使用者は労せずして可動収納箱４をキャビネット２及び抽斗３から取り外すことができる。
可動収納箱４の着脱の際、可動収納箱４にカトラリーが収納されていても特段の問題はない。また、カトラリーが収納された状態であっても、可動収納箱４を持ち運ぶことは容易い。故に、可動収納箱４は、カトラリーをまとめて持ち運んだり片付けたりする場合に便利である。
【００８７】
可動収納箱４とトレイ４０とは同一構造である。そこで、可動収納箱４及びトレイ４０と同一構造のトレイを量産することによって、可動収納箱４及びトレイ４０夫々の製造コストを低減することができる。この結果、収納家具１の製造コストも低減することができる。
以下では、可動収納箱４と同一構造のトレイを、全てトレイ４０という。
使用者は、抽斗３の内部に配されるトレイ４０とは別に、１個のトレイ４０を用意する。
そして、使用者は、例えば調味料の小瓶を収納する抽斗１０２の底板に、１個のトレイ４０を配する。この場合、トレイ４０を、収納されている調味料の小瓶から零れた調味料の受け皿として用いることができる。
【００８８】
ここで、２個のトレイ４０，４０について考える。各トレイ４０の構造は可動収納箱４の構造と同一である。従って、各トレイ４０は、前壁部４１、後壁部４２、…等、可動収納箱４の各部に相当する部分（以下、単にトレイ４０の前壁部４１、後壁部４２、…等という）を備えている。
使用者が、２個のトレイ４０，４０を左右方向に並置し、右側のトレイ４０の第１係合部４７，４７と、左側のトレイ４０の第２係合部４８，４８とを係合させると、左右方向に連結された２個のトレイ４０，４０が得られる。同様のことを、３個以上のトレイ４０，４０，…に対して行なえば、左右方向に連結された３個以上のトレイ４０，４０，…が得られる。
【００８９】
右側のトレイ４０の前側の第１係合部４７と、左側のトレイ４０の前側の第２係合部４８との係合は、右側のトレイ４０の前側の第１係合部４７に対して、左側のトレイ４０の前側の第２係合部４８を上側から覆いかぶせ、前側の第２係合部４８の第１面部、第２面部、及び第３面部と右壁部４５とに囲繞された空間に、前側の第１係合部４７を下側から挿入することによって行なわれる。同様に、右側のトレイ４０の後ろ側の第１係合部４７と、左側のトレイ４０の後ろ側の第２係合部４８との係合は、右側のトレイ４０の後ろ側の第１係合部４７に対して、左側のトレイ４０の後ろ側の第２係合部４８を上側から覆いかぶせ、後ろ側の第２係合部４８の第４面部、第５面部、及び第６面部と右壁部４５とに囲繞された空間に、後ろ側の第１係合部４７を下側から挿入することによって行なわれる。
右側のトレイ４０の第１係合部４７，４７と、左側のトレイ４０の第２係合部４８，４８とが係合すると、左側のトレイ４０の被覆面部４８１は、右側のトレイ４０の掛止部４６を上側から覆う。
【００９０】
右側のトレイ４０が、左側のトレイ４０に対して相対的に前後方向、左右方向、又は上方向に位置ずれしようとしても、第１係合部４７，４７が、第２係合部４８，４８又は右壁部４５に当接する。従って、左右のトレイ４０，４０は連結される。左右のトレイ４０，４０の連結を解除する場合には、使用者が、右側のトレイ４０を、左側のトレイ４０に対して相対的に下方向に移動されればよい。
【００９１】
使用者は、抽斗３の内部に配されるトレイ４０とは別に、複数個のトレイ４０，４０，…を用意する。
そして、使用者は、複数個のトレイ４０，４０，…を左右方向に連結した状態で、例えば食品を収納する抽斗１１２の底板に配する。この場合、トレイ４０，４０，…を、抽斗１１２の内部を区画して、収納されている食品を整理し易くする整理トレイとして用いることができ、更に、収納されている食品の粉又は屑等の受け皿として用いることができる。
【００９２】
可動収納箱４又はトレイ４０が汚損若しくは破損した場合、使用者は、汚損若しくは破損した可動収納箱４又はトレイ４０を取り出して、清掃若しくは修理し、再び元のように配置することができる。
また、可動収納箱４又はトレイ４０が甚だしく汚損若しくは破損した場合、使用者は、古い可動収納箱４又はトレイ４０と新しいトレイ４０とを交換することできる。この新たなトレイ４０が、量産によって安価に提供されていれば、収納家具１のランニングコストを抑えつつ、汚損しておらず衛生的な、且つ破損しておらず安全な可動収納箱４及びトレイ４０を使用することができる。
【００９３】
本実施の形態では、レール側係合部６４はローラ状になしてあるが、回転を伴わない単純な円柱状又は円筒状でもよい。ただし、ローラ状のレール側係合部６４の方が、収納箱側係合部５５に対して、より円滑に係合することができる。
【００９４】
なお、瓶収納空間ＢＳに、瓶以外（例えば食用油の缶）を収納しても特段の問題はない。
また、仕切り板６３は、板支持部材３８，３８に対して着脱可能であってもよい。この場合、仕切り板６３とは異なる仕切り板（例えば、レードル保持具６６が配されていないことを除けば仕切り板６３と同一の構成の仕切り板）が板支持部材３８，３８に着脱可能に支持される構成でもよい。
また、板支持部材３８，３８の配置位置が左右方向に変更可能であってもよい。この場合、左右長さが異なる可動収納箱４，４，…が準備されており、板支持部材３８，３８の配置位置に応じて（延いては案内レール６１と載置台６２との離隔距離に応じて）、適宜の左右長さを有する可動収納箱４が配されてもよい。
【００９５】
更に、収納家具１は、Ｎ本（ＮはＮ≧２の自然数）の案内レール６１，６１，…及びＮ個の載置台６２，６２，…を上下に離隔並置してあり、これらに対応して各Ｎ個の可動収納箱４，４，…及び移動支持部５，５，…を備える構成でもよい。この場合、上下Ｎ段の可動収納箱４，４，…に対して物品を収納することができる。
【００９６】
更にまた、収納家具１は、Ｉ型のシステムキッチンに限定されず、Ｌ型又はＵ型等のシステムキッチンでもよい。また、収納家具１は、システムキッチンに限定されず、例えば食器棚又は食品収納棚等、瓶の収納に用いられる収納家具であればよい。
抽斗３は、キャビネット２における食器洗い乾燥機１１１の左側に限定されず、右側に配される構成でもよい。また、キャビネット２における抽斗３及び食器洗い乾燥機１１１の配置位置と抽斗１１２の配置位置とは入れ替わっていてもよい。
更に、抽斗１１２、又はコンロ台１０若しくはシンク台１２に、抽斗３に相当する抽斗と可動収納箱４に相当する可動収納箱とが備えられていてもよい。
【００９７】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、収納家具１に、実施の形態に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００９８】
１    収納家具
２    キャビネット
２２  右側壁部（載置台支持部，壁部）
３    抽斗
４    可動収納箱
４０  トレイ
４７  第１係合部
４８  第２係合部
５    移動支持部
５３  解除操作部
５５  収納箱側係合部
６１  案内レール
６２  載置台
６３  仕切り板（レール支持部）
６４  レール側係合部
６５  当接部
ＡＳ  物品収納空間
ＢＳ  瓶収納空間
【図１】
2014150841.tif 000003
【図２】
2014150841.tif 000004
【図３】
2014150841.tif 000005
【図４】
2014150841.tif 000006
【図５】
2014150841.tif 000007
【図６】
2014150841.tif 000008
【図７】
2014150841.tif 000009
【図８】
2014150841.tif 000010
【図９】
2014150841.tif 000011
【図１０】
2014150841.tif 000012
【図１１】
2014150841.tif 000013
【図１２】
2014150841.tif 000014
【図１３】
2014150841.tif 000015
【図１４】
2014150841.tif 000016
【図１５】
2014150841.tif 000017